(57)【要約】【課題】空調チャンバや空調ダクト等の接続配置の制限を緩和することができる空調チャンバ及び空調設備を得る。【解決手段】空調チャンバ１２の周壁２８は、複数の板部がヒンジ部を介して繋がり、変形可能とされており、複数の板部のうち、１つの板部には、空調ダクト３８が接続される接続部４０が形成されている。このため、当該ヒンジ部を介して、周壁２８の折曲位置Ｐを変えることにより接続部４０の位置が変わる。接続部４０の位置を変えた状態で周壁２８の開口４２を蓋部材４４で閉塞することによって、室内空間２２、空調チャンバ１２、空調ダクト３８の間で流路が確保される。このような構成により、二点鎖線で示されるように、空調ダクト３８が小屋裏収納部１６に干渉する場合であっても、空調チャンバ１２の接続部４０の位置を変えることにより、実線で示されるように、空調ダクト３８が小屋裏収納部１６に干渉することを回避することができる。【選択図】図１
2019045070.tif 000002
【特許請求の範囲】
【請求項１】
天井裏又は床下に設けられる空調チャンバであって、
複数の板部を含んで多角形状に形成され、隣接する板部同士がヒンジ部を介して繋がり変形可能に構成され、かつ前記複数の板部のうち、１つの板部に空調ダクトが接続される接続部が形成された周壁と、
前記周壁の一端側の開口を閉塞させる蓋部材と、
を有する空調チャンバ。
【請求項２】
前記板部は板金で形成され、前記ヒンジ部は、別部材で形成されている請求項１に記載の空調チャンバ。
【請求項３】
前記板部は樹脂で形成され、前記ヒンジ部はインテグラルヒンジである請求項１に記載の空調チャンバ。
【請求項４】
請求項１〜請求項３の何れか１項に記載の空調チャンバを備えた空調設備。
【発明の詳細な説明】
【技術分野】
【０００１】
本発明は、空調チャンバ及び空調設備に関する。
【背景技術】
【０００２】
例えば、下記特許文献１には、空調機械室の空調装置の上方に空調ダクトを介して接続される空調チャンバが設けられた技術が開示されている。この先行技術では、空調ダクトと空調チャンバとは互いに非連結の状態とされ、互いに相対移動可能とされている。また、空調ダクトと空調チャンバとの間には、弾性を有する気密部材が介在されており、これにより、空調ダクトや空調チャンバに破損や変形を抑制することができるというものである。
【先行技術文献】
【特許文献】
【０００３】
【特許文献１】特開２０１６−１５３７０９号公報
【発明の概要】
【発明が解決しようとする課題】
【０００４】
しかしながら、上記先行技術では、空調ダクトと空調チャンバとで接続する向きが決まっており、空調ダクトが周辺の壁や梁等に干渉する場合、干渉を回避するため、空調チャンバや空調ダクト等の接続配置が制限される。
【０００５】
本発明は上記事実を考慮し、空調チャンバや空調ダクト等の接続配置の制限を緩和することができる空調チャンバ及び空調設備を得ることが目的である。
【課題を解決するための手段】
【０００６】
上記目的を達成するための第１の態様は、天井裏又は床下に設けられる空調チャンバであって、複数の板部を含んで多角形状に形成され、隣接する板部同士がヒンジ部を介して繋がり変形可能に構成され、かつ前記複数の板部のうち、１つの板部に空調ダクトが接続される接続部が形成された周壁と、前記周壁の一端側の開口を閉塞させる蓋部材と、を有している。
【０００７】
第１の態様では、天井裏又は床下に設けられる空調チャンバは、複数の板部を含んで多角形状に形成された周壁を備えている。この周壁は、隣接する板部同士がヒンジ部を介して繋がっており、変形可能に構成されている。さらに、周壁を構成する複数の板部のうち、１つの板部には、空調ダクトが接続される接続部が形成されている。また、当該周壁の一端側の開口は、蓋部材によって閉塞されている。
【０００８】
すなわち、本態様では、空調チャンバの周壁が、複数の板部で構成され、隣接する板部同士はヒンジ部を介して連結されているため、当該ヒンジ部を介して、隣接する板部同士を折曲させたり伸張させたりすることができる。そして、周壁の折曲位置を変えることによって、接続部の位置を変えることができる。一方、周壁の一端側の開口が蓋部材によって閉塞されることによって、室内空間、周壁、空調ダクトの間に流路が確保される。
【０００９】
以上のような構成により、本態様では、空調ダクトが周辺の壁や梁等に干渉する場合、空調チャンバの接続部の位置を変えることによって、当該空調ダクトが周辺の壁や梁等に干渉することを回避することができる。このように、空調チャンバの接続部の位置を変えることにより、空調チャンバを配置する際の自由度を高くすることができ、多様性が向上する。
【００１０】
第２の態様は、第１の態様において、前記板部は板金で形成され、前記ヒンジ部は、別部材で形成されている。
【００１１】
第２の態様では、板部は板金で形成されており、別部材で形成されたヒンジ部を介して、隣接する板部同士が繋がっている。
【００１２】
第３の態様は、第１の態様において、前記板部は樹脂で形成され、前記ヒンジ部はインテグラルヒンジである。
【００１３】
第３の態様では、板部は樹脂で形成されており、インテグラルヒンジを介して、隣接する板部同士が繋がっている。つまり、本態様では、周壁はインテグラルヒンジを介して複数の板部が一体に形成されている。
【００１４】
第４の態様は、空調設備において、第１の態様〜第３の態様の何れか１の態様の空調チャンバを備えている。
【００１５】
第４の態様では、第１の態様〜第３の態様の何れか１の態様の空調チャンバを備えているため、小屋裏収納や床下収納の位置や大きさに合わせて空調チャンバの接続部の位置を変えて対応することができる。
【発明の効果】
【００１６】
以上説明したように本発明は、空調チャンバや空調ダクト等の接続配置の制限を緩和することができる、という優れた効果を有する。
【図面の簡単な説明】
【００１７】
【図１】（Ａ）は、本実施の形態に係る空調チャンバを備えた空調設備が設けられた小屋裏を示す平断面図であり、（Ｂ）は、（Ａ）の要部が拡大された要部拡大平面図である。
【図２】図１（Ａ）において、２−２線に沿って切断したときの断面図である。
【図３】（Ａ）は、本実施の形態に係る空調チャンバの構成を示す分解斜視図であり、（Ｂ）〜（Ｄ）は、本実施の形態に係る空調チャンバの作用を説明するための斜視図である。
【図４】本実施の形態に係る空調チャンバの周壁の構成を示す一部拡大斜視図である。
【図５】本実施の形態に係る空調チャンバの作用を説明するための図１（Ａ）に対応する平断面図である。
【図６】本実施の形態に係る空調チャンバの周壁の変形例を示す一部拡大斜視図である。
【発明を実施するための形態】
【００１８】
一般に、図示はしないが、全館空調システムが設けられた建物には、空調設備が備えられている。空調設備には、室内装置としての室内機及び室外装置としての室外機が含まれており、室内機、室内機に接続される空調ダクト、及び空調ダクトが接続される空調チャンバなどの空調設備機器により、室内空間を空調する一システムが構成されている。
【００１９】
以下、図面を用いて、本発明の一実施の形態に係る空調チャンバを備えた空調設備について説明する。
【００２０】
（空調設備の構成）
まず、本実施の形態に係る空調設備１０の一部を構成する空調チャンバ１２について説明する。図１（Ａ)には、本実施の形態に係る空調チャンバ１２を備えた空調設備１０が設けられた小屋裏（天井裏）１４の平断面図が示されており、図１（Ｂ）には、図１（Ａ）において、空調チャンバ１２を含む要部が拡大された要部拡大平面図が示されている。また、図２には、図１（Ａ）で示す２−２線に沿って切断したときの縦断面図が示されている。
【００２１】
図１（Ａ)に示されるように、小屋裏１４には小屋裏収納部１６が設けられており、図２に示されるように、小屋裏１４を区画する天井パネル１８には、装着孔２０が形成されている。この装着孔２０は略矩形状を成しており、当該装着孔２０を通じて、室内空間２２と小屋裏１４とが連通可能とされている。そして、装着孔２０の内側には、空調グリル２４の裏面２４Ａ側から突出する取付片２６が嵌め込まれるようになっている。
【００２２】
ここで、本実施の形態に係る空調チャンバ１２の周壁２８は、例えば、板金で形成された矩形板状の８枚の板部３０を含んで構成されている。８枚の板部３０は、全て略同じ形状を成しており、隣接する板部３０同士は、例えば、図４に示されるように、蝶番で構成されたヒンジ部３２によって繋がれている。このヒンジ部３２を介して、隣接する板部３０同士を折曲させたり（折曲部３４）伸張させたり（伸長部３６）することができる。
【００２３】
そして、本実施形態では、図３（Ａ）に示されるように、この８枚の板部３０及びヒンジ部３２によって、平面視で矩形状の周壁２８が構成されると共に、８枚の板部３０のうち、１枚の板部３０Ａには、空調ダクト３８（図２参照）が接続される接続部４０が形成されている。
【００２４】
このため、図３（Ｂ）、（Ｃ）や図３（Ｂ）、（Ｄ）に示されるように、隣接する板部３０同士を折曲させたり伸張させたりして、周壁２８の折曲位置Ｐを変えることによって、当該接続部４０の位置を変えることができる。
【００２５】
また、図３（Ａ）に示されるように、空調チャンバ１２の周壁２８の上端側の開口４２は、平面視で矩形状を成す箱形の蓋部材４４によって閉塞可能とされる。蓋部材４４は、周壁２８の上端部２８Ａに対して外側から嵌め込み可能とされており、図２に示されるように、蓋部材４４が周壁２８の上端部２８Ａに嵌め込まれることによって、周壁２８の開口４２は閉塞される。なお、蓋部材４４の側壁４４Ａと周壁２８の上端部２８Ａには、シール部材４６が接着されている。
【００２６】
ところで、空調グリル２４の取付片２６が天井パネル１８の装着孔２０の内側に嵌め込まれた状態で、当該装着孔２０は当該空調グリル２４によって覆われるようになっている。この装着孔２０の外側には、当該装着孔２０と略平行となるように木部材４８が配置されており、木部材４８と空調グリル２４の取付片２６の間には、空調チャンバ１２の周壁２８の下端部２８Ｂが配置可能とされている。
【００２７】
当該木部材４８と空調グリル２４の取付片２６の間に、空調チャンバ１２の周壁２８の下端部２８Ｂが配置された状態で、空調チャンバ１２内は、天井パネル１８の装着孔２０を介して室内空間２２と連通可能とされる。そして、空調チャンバ１２の下端部２８Ｂは、装着孔２０の外側に配置された木部材４８と空調グリル２４の取付片２６の間に配置された状態で、ビス５０を介して、当該木部材４８に固定されている。
【００２８】
また、空調チャンバ１２の接続部４０には、空調ダクト３８の一端部３８Ａが接続可能とされており、当該接続部４０に空調ダクト３８が接続された状態で、空調ダクト３８、空調チャンバ１２、室内空間２２で流路が確保される。そして、空調ダクト３８の他端部は、室内機と接続されており、室内機により生成された空調空気が、空調ダクト３８及び空調チャンバ１２を経て室内空間２２へ吹き出されるようになっている。なお、図示はしないが、空調チャンバ１２の表面は、断熱シートによって覆われている。
【００２９】
（空調チャンバの作用及び効果）
図２に示されるように、小屋裏１４に設けられる空調チャンバ１２の周壁２８は、図３（Ａ）、（Ｂ）に示されるように、複数の板部３０がヒンジ部３２を介して繋がる多角形状とされた周壁２８によって構成されており、変形可能とされている。また、周壁２８を構成する複数の板部３０のうち、１つの板部３０には、空調ダクト３８（図２参照）が接続される接続部４０が形成されている。
【００３０】
すなわち、本実施形態では、空調チャンバ１２の周壁２８は、図４に示されるように、隣接する板部３０同士がヒンジ部３２を介して連結されているため、当該ヒンジ部３２を介して、隣接する板部３０同士を折曲させたり（折曲部３４）伸張させたり（伸長部３６）することができる。
【００３１】
そして、図３（Ａ）、（Ｃ）、（Ｄ）に示されるように、周壁２８の折曲位置Ｐを変えることによって、接続部４０の位置を変えることができる。当該接続部４０の位置を変えた状態で、図２に示されるように、周壁２８の上端側の開口４２を蓋部材４４で閉塞する。これにより、室内空間２２、空調チャンバ１２、空調ダクト３８の間で流路が確保される。
【００３２】
以上のような構成により、本実施形態では、図１（Ａ）、（Ｂ）の二点鎖線で示されるように、空調ダクト３８が、小屋裏収納部１６や図示しない周辺の壁や梁等に干渉する場合であっても、空調チャンバ１２の接続部４０（図２参照）の位置を変えることによって、図１（Ａ）、（Ｂ）及び図５の実線で示されるように、当該空調ダクト３８が小屋裏収納部１６等に干渉することを回避することができる。
【００３３】
すなわち、本実施形態によれば、図３（Ａ）、（Ｃ）、（Ｄ）に示されるように、空調チャンバ１２の接続部４０の位置を変えることにより、空調チャンバ１２や空調ダクト３８（図２参照）等の接続配置の制限を緩和することができる。これにより、本実施形態では、空調チャンバ１２を配置する際の自由度を高くすることができ、空調チャンバ１２において、多様性が向上する。
【００３４】
なお、本実施形態では、空調チャンバ１２の周壁２８を構成する板部３０は、８枚全て略同じ形状を成しているが、全てが同じ形状である必要はなく、また、８枚である必要はない。さらに、本実施形態では、周壁２８は、平面視で矩形状を成しているが、多角形状であればよいため、必ずしも矩形状である必要はない。例えば、図示はしないが、平面視で三角形状を成す周壁であってもよい。
【００３５】
また、当該空調チャンバ１２の周壁２８は、板金で形成された板部３０と、隣接する板部３０同士を繋ぐヒンジ部３２によって構成されているが、これに限るものではない。例えば、図６に示されるように、空調チャンバ５２の周壁５４が樹脂で形成されてもよい。
【００３６】
また、周壁５４が樹脂で形成された場合、隣接する板部５６同士をインテグラルヒンジ（インテグラルヒンジ部５８）で繋ぐようにしてもよい。当該インテグラルヒンジ部５８を介して、隣接する板部５６同士を折曲させたり（折曲部６０）伸張させたり（伸長部６２）することができる。このように、インテグラルヒンジ部５８を形成することで、周壁５４は一部材で形成されることとなる。
【００３７】
また、本実施形態では、図２に示されるように、空調チャンバ１２が小屋裏１４側に設けられた例について説明したが、当該空調チャンバ１２の設置場所は、小屋裏１４に限るものではない。例えば、図示はしないが、床下側に設置されても良い。
【００３８】
さらにまた、ここでは、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００３９】
１０   空調設備
１２   空調チャンバ
１４   小屋裏（天井裏）
２８   周壁
３０   板部
３０Ａ 板部
３２   ヒンジ部
３８   空調ダクト
４０   接続部
４２   開口
４４   蓋部材
５２   空調チャンバ
５４   周壁
５６   板部
５８   インテグラルヒンジ部（ヒンジ部）
【図１】
2019045070.tif 000003
【図２】
2019045070.tif 000004
【図３】
2019045070.tif 000005
【図４】
2019045070.tif 000006
【図５】
2019045070.tif 000007
【図６】
2019045070.tif 000008